(57)【要約】【課題】レイアウト性の低下や製造コストの増加をまねくことなく、放電灯点灯後も安定したリモコン操作性を保つことができる放電灯点灯装置を提供すること。【解決手段】放電灯点灯装置３の制御部９は、予熱周波数９３．８ｋＨｚで放電灯２の予熱した後、インバータ回路６の高周波電圧の周波数を点灯周波数５８．９ｋＨｚより高い第１周波数６５．２ｋＨｚまで漸減させる。そして、放電灯２の放電を始動させた後に、第１周波数６５．２ｋＨｚの高周波電圧で放電灯２を２分間点灯させ、高周波電圧の周波数を第１周波数６５．２ｋＨｚから所定周波数５８．９ｋＨｚへ漸減させる。【選択図】図３
2010287486.tif 000002
【特許請求の範囲】
【請求項１】
直流電源からの電圧を所定の周波数の高周波電圧に変換して出力するインバータ回路と、このインバータ回路から出力される高周波電圧によって放電灯を点灯させる出力回路と、点灯・消灯および調光操作用のリモートコントロール装置から発される信号を受信する受信部と、この受信部で受信した信号に基づいて前記インバータ回路の制御を行う制御部等とを備え、この制御部は、前記受信部が前記リモートコントロール装置からの点灯信号を受信すると、前記インバータ回路から高周波電圧を出力させて前記放電灯の予熱を行わせ、この後、高周波電圧の周波数を漸減させながら前記放電灯の放電を始動させ、その高周波電圧の周波数を所定周波数まで漸減させて、この所定周波数でその放電灯を高出力させる放電灯点灯装置であって、
前記制御部は、前記放電灯の予熱の後、前記高周波電圧の周波数を前記所定周波数より高い第１周波数まで漸減させながらその放電灯の放電を始動させ、この始動の後に第１周波数の高周波電圧で前記放電灯を一定時間点灯させ、
この後、前記高周波電圧の周波数を第１周波数から前記所定周波数へ漸減させることを特徴とする放電灯点灯装置。
【請求項２】
請求項１に記載の放電灯点灯装置であって、
前記受信部が前記放電灯が第１周波数で点灯している期間にリモートコントロール装置からの調光信号を受信した場合、
前記制御部は、前記放電灯を第１周波数で一定時間点灯させた後、前記高周波電圧の周波数を第１周波数から漸減あるいは漸増させて、この第２周波数で前記放電灯を点灯させることを特徴とする放電灯点灯装置。
【請求項３】
請求項１または請求項２の放電灯点灯装置において、前記漸減は、周波数を段階的に下げていくことであり、前記漸増は、周波数を段階的に上げていくことを特徴とする放電灯点灯装置。
【発明の詳細な説明】
【技術分野】
【０００１】
本発明は、リモートコントロール装置により操作される放電灯点灯装置に関する。
【背景技術】
【０００２】
従来、蛍光灯などの放電灯と放電灯点灯装置を有し、リモートコントロール装置（リモコン）で放電灯の点灯・消灯・調光する照明装置が知られている（例えば、特許文献１参照）。
【０００３】
この特許文献１の照明装置の放電灯点灯装置は、直流電源からの電圧を所定の周波数の高周波電圧に変換して出力するインバータ回路と、このインバータ回路から出力される高周波電圧によって放電灯を点灯させる共振回路と、リモコンから発せられる赤外線信号を受光する受光部と、この受光部からの受光信号に基づいてインバータ回路を制御するマイコン等とを有している。
【０００４】
リモコンの点灯スイッチを操作すると、受光部が赤外線信号を受光し、マイコンの制御により、図５に示すように、インバータ回路から予熱周波数９３．８ｋＨｚの高周波電圧を出力して放電灯のフィラメントを予熱し、この予熱後、高周波電圧の周波数を点灯周波数５８．９ｋＨｚまで低下させて蛍光灯の放電を始動させて点灯させている。
【先行技術文献】
【特許文献】
【０００５】
【特許文献１】特開２００８‐１４６９９３号公報
【発明の概要】
【発明が解決しようとする課題】
【０００６】
しかしながら、従来の放電灯点灯装置では、点灯周波数５８．９ｋＨｚで放電灯を点灯しており、この点灯周波数はリモコンの赤外線信号に使用される周波数帯３３〜４０ｋＨｚに近い周波数である。
【０００７】
そのため、放電灯の点灯直後にリモコンを操作して放電灯の調光をするときに放電灯からのノイズ、放電灯点灯装置自体からのノイズが受光部の受信回路に影響して、受光部の受信性能が低下してしまう問題があった。
【０００８】
この問題を解決する方法として、受光部をノイズの影響を受けにくい位置に設けたり、受光部にノイズを除去する光学フィルタを設けることが考えられるが、レイアウト性の低下や製造コストの増加をまねく。
【０００９】
本発明は、上記問題に着目してなされたもので、レイアウト性の低下や製造コストの増加をまねくことなく、放電灯を点灯した直後もしばらく安定したリモコン操作性を保つことができる照明装置を提供することを目的とする。
【課題を解決するための手段】
【００１０】
上記目的を達成するため、本発明では、直流電源からの電圧を所定の周波数の高周波電圧に変換して出力するインバータ回路と、このインバータ回路から出力される高周波電圧によって放電灯を点灯させる出力回路と、点灯・消灯および調光操作用のリモートコントロール装置から発される信号を受信する受信部と、この受信部で受信した信号に基づいて前記インバータ回路の制御を行う制御部等とを備え、この制御部は、前記受信部が前記リモートコントロール装置からの点灯信号を受信すると、前記インバータ回路から高周波電圧を出力させて前記放電灯の予熱を行わせ、この後、高周波電圧の周波数を漸減させながら前記放電灯の放電を始動させ、その高周波電圧の周波数を所定周波数まで漸減させて、この所定周波数でその放電灯を高出力させる放電灯点灯装置であって、
前記制御部は、前記放電灯の予熱の後、前記高周波電圧の周波数を前記所定周波数より高い第１周波数まで漸減させてその放電灯の放電を始動させ、この始動の後に第１周波数の高周波電圧で前記放電灯を一定時間点灯させ、
この後、前記高周波電圧の周波数を第１周波数から前記所定周波数へ漸減させることを特徴とする。
【発明の効果】
【００１１】
この発明によれば、照明装置の放電灯を点灯した直後もしばらく安定したリモコン操作性を保つことができるとともに、照明装置の各部のレイアウト性や製造コストを維持したまま照明装置を製造することができる。
【図面の簡単な説明】
【００１２】
【図１】実施例の放電灯点灯装置が適用された照明装置の回路構成の概略を示すブロック図である。
【図２】放電灯の明るさ設定と対応する点灯周波数を示すものである。
【図３】放電灯の周波数の経時的な変化を示すタイムチャートである。
【図４】リモコンの信号波形を示す図である。
【図５】従来の点灯周波数の制御を示すタイムチャートである。
【発明を実施するための形態】
【００１３】
以下、本発明の放電灯点灯装置を実現する形態を、図面に示す実施例に基づいて説明する。
【実施例】
【００１４】
まず、本発明に係る実施例の放電灯点灯装置が適用された照明装置１の構成を説明する。なお、予熱を行う際の周波数を予熱周波数、放電灯の放電を始動する周波数を始動周波数、最終的に放電灯を点灯させる周波数を点灯周波数とする。
【００１５】
本実施例の照明装置１は、図１に示すように、蛍光灯などの放電灯２と、放電灯２を点灯するための放電灯点灯装置３等とを有している。４は、図４に示すように搬送周波数３８ｋＨｚの赤外信号（点灯信号Ｒ、調光信号、消灯信号など）を発光する発光部（不図示）を有するリモートコントロール装置（リモコン）である。
【００１６】
放電灯点灯装置３は、図１に示すように、直流の電源Ｅに接続されており、電源Ｅ用のノイズ除去用の入力フィルタ４Ａと、電源Ｅの電圧を昇圧するための昇圧回路５と、昇圧された電圧を所定の周波数の高周波電圧に変換して出力するインバータ回路６と、このインバータ回路６から出力される高周波電圧によって放電灯２を点灯させる共振回路（不図示）を有した出力回路７と、リモコン４から発光される赤外信号を受光する受光部（受信部）８と、この受光部８の点灯受光信号に基づいてインバータ回路６を制御する制御部９等とを備えている。
【００１７】
インバータ回路６は、制御部９からの制御信号に基づいて出力回路７に所定の高周波電圧を出力する。
【００１８】
制御部９は、マイクロコンピュータ（マイコン）と、周波数などが記憶されたメモリ（不図示）と、タイマ（不図示）とを有している。
【００１９】
メモリには、制御プログラムと、予熱周波数と、図２に示すように、明るさ１〜６に対応してそれぞれ異なる選択周波数等とが記憶されている。ここで、明るさの数字が大きいほど放電灯２は明るく点灯するように設定されている。本実施例では明るさ１の選択周波数が放電灯２の始動させるための始動周波数（第１周波数）に設定されている。
【００２０】
制御部９は、受光部８がリモコン４からの点灯信号Ｒを受信したときにインバータ回路６から高周波電圧を出力させて放電灯２の予熱を行わせる予熱機能と、この予熱後にインバータ回路６の高周波電圧の周波数を漸減させながら放電灯２の放電を始動させる放電始動機能と、放電灯２の放電の始動後に始動周波数の高周波電圧で放電灯２を一定時間点灯させる点灯制御機能と、一定時間点灯後にインバータ回路６の高周波電圧の周波数を始動周波数から点灯周波数（所定周波数）へ漸減させる周波数漸減機能等とを有している。
【００２１】
リモコン４には、放電灯点灯装置３の放電灯２をオン・オフさせるための点灯ボタン４ａと、明るさ設定ボタン４ｂと、各種設定状況を表示する表示部４ｃ等とが設けられている。
【００２２】
リモコン４は、図示しないメモリやマイコンを内蔵しており、リモコン４の明るさ設定ボタン４ｂの操作により、放電灯２の明るさを設定できる。
［動  作］
次に、上記のように構成される放電灯点灯装置３の動作パターンの一例を図３に示すタイムチャートに基づいて説明する。
【００２３】
ここで、メモリの始動周波数は６５．２ｋＨｚ（明るさ１）であるとする。放電灯２は消灯しているものとする。
【００２４】
先ず、使用者がリモコン４の点灯ボタン４ａの操作すると、リモコン４から点灯信号Ｒが発せられる。
【００２５】
受光部８がリモコン４からの点灯信号Ｒを受光すると、制御部９は、この受光部８の点灯受光信号に基づいてインバータ回路６の制御を開始し（時点Ｔ１）、インバータ回路６から予熱周波数９３．８ｋＨｚの高周波電圧を出力させて放電灯２のフィラメントを予熱させる（時点Ｔ１〜Ｔ２）。
【００２６】
制御部９は、一定時間予熱した後、高周波電圧の周波数９３．８ｋＨｚを始動周波数６５．２ｋＨｚまで下げていく。この高周波電圧の周波数の漸減により、放電灯２は放電を始動し点灯する（時点Ｔ２〜Ｔ３）。
【００２７】
そして、制御部９は、予熱が終了した時点（Ｔ２）から２分経過する時点（Ｔ４）までこの始動周波数（６５．２ｋＨｚ、明るさ１）で放電灯２を点灯維持させる。そして、リモコン４が再度操作されていなければ、放電灯２の周波数を段階的に下げていく（図２参照、時点Ｔ４）。すなわち、時点Ｔ４以後は１０秒経過するごとに選択周波数を段階的に下げていく。
【００２８】
そして、最終的に選択周波数（５８．９ｋＨｚ、明るさ６）まで下げて（時点Ｔ８）、放電灯２を高出力（高照度）で点灯維持させる（時点Ｔ８〜）。
【００２９】
次に、放電灯２が始動周波数（６５．２ｋＨｚ）で点灯されている期間（時点Ｔ３〜Ｔ４）で、リモコン４の明るさ設定ボタン４ｂが操作された場合について説明する。
【００３０】
リモコン４の明るさ設定ボタン４ｂの操作により、例えば、明るさ「４」を設定した場合、リモコン４の発光部から明るさ「４」を示す調光信号が発光される。この調光信号は放電灯点灯装置３の受光部８に受光され、制御部９は、受光部８の受光信号に基づいてインバータ回路６を制御することになるが、放電灯点灯装置３の受光部８が調光信号を受光するときには、放電灯２が始動周波数（６５.２ｋＨｚ）で点灯されており、この始動周波数はリモコン信号搬送周波数（３８ｋＨｚ）から遠ざかっていることにより、放電灯２から受けるノイズの影響は低減され、受光部８の受信性能が向上することになる。
【００３１】
このため、制御部９は、ノイズの影響を受けることなく受光部８の受光信号に基づいてインバータ回路６の制御を行う。すなわち、制御部９は、ノイズの影響を受けることなく、リモコン４の操作に基づいて放電灯２の調光や消灯の制御を確実に行うことができる。
【００３２】
また、放電灯２は、始動周波数で点灯していることにより、発光光量が少なく、流れる電流が小さい。このため、放電灯２から発生するノイズの発生量は少なく、受光部８の受信性能がさらに向上し、制御部９は、さらにノイズの影響を受けることなく、リモコン４の操作に基づいて放電灯２の調光や消灯の制御をより確実に行うことができる。
【００３３】
制御部９は、受光部８の明るさ「４」を示す調光信号の受光により、時点Ｔ４以後から時点Ｔ６まで上記と同様にインバータ回路６を制御して、高周波電圧の周波数を段階的に下げていく。そして、時点Ｔ６以後、インバータ回路６から６１.２ｋＨｚの高周波電圧を出力させ、放電灯２を明るさ「４」で点灯させることになる。
【００３４】
ところで、放電灯２を始動周波数（６５.２ｋＨｚ）で点灯している期間は約２分間と長くなっているので、この期間で放電灯２からのノイズがかなり低減される。
【００３５】
リモコン４の信号の周波数（３８ｋＨｚ）から離れた始動周波数（６５．２ｋＨｚ）で放電灯２を点灯させる期間を設けたので、受光部８に光学フィルタなどを設ける等することなく上述したように受光部８の受信性能が向上する。このため、本実施例によれば、レイアウト性の低下や製造コストの増加をまねくことなく、放電灯２を点灯した直後もしばらく安定したリモコン操作性を保つことができる。
【００３６】
以上、本発明に係る放電灯点灯装置を上記実施例に基づき説明してきたが、具体的な構成については、上記実施例に限られるものではなく、特許請求の範囲の各請求項に係る発明の要旨を逸脱しない限り、設計の変更や追加等は許容される。
【００３７】
例えば、上述した予熱周波数、選択周波数（周波数と明るさの段階数）、始動周波数、点灯周波数、リモコン４の信号の伝送に用いられる周波数、始動周波数で放電灯２を点灯維持する時間、段階的に放電灯２の周波数を下げる間隔（秒）、周波数の下げ幅（ｋＨｚ）等は上記のものに限られない。また、放電灯２の周波数の下げ方は、無段階でも良い。
【００３８】
また、上記実施例では、始動周波数（第１周波数）を６５．２ｋＨｚに設定しているが、これに限らず例えば６２．５ｋＨｚに設定してもよい。この場合、リモコン４により明るさが例えば「１」に設定されたとき、放電灯２を第１周波数（６２．５ｋＨｚ）で一定時間点灯させた後、インバータ回路６の高周波電圧の周波数を第１周波数（６２．５ｋＨｚ）から６５．２ｋＨｚへ段階的あるいは無段階に上昇（漸増）させていく。
【符号の説明】
【００３９】
１              照明装置
２              放電灯
３            放電灯点灯装置
４              リモートコントロール装置（リモコン）
６              インバータ回路
７              出力回路
８              受光部（受信部）
９              制御部
Ｅ              電源（直流電源）
【図１】
2010287486.tif 000003
【図２】
2010287486.tif 000004
【図３】
2010287486.tif 000005
【図４】
2010287486.tif 000006
【図５】
2010287486.tif 000007